(57)【要約】【課題】  ドア本体の振れ止めを防止しながら、ガイド溝に雨水等の水が溜まってしまった場合にあっても、この雨水等の水を跳ね上げさせてしまうことなく、ドア本体をスムーズにスライド移動させることができる。【解決手段】  駆動機構に懸架されながらスライド移動されるドア本体３０と、前記ドア本体３０の下方であって該ドア本体３０のスライド移動の範囲に延びて設けられるガイド溝４０と、前記ドア本体３０の下部から下方に向かって突出して設けられ且つ前記ガイド溝４０に遊びを有した状態で嵌め込まれるガイド部１１とを有した、前記ドア本体３０の厚さ方向の揺れを防止する振れ止め機構であって、前記ガイド部１１に、前記ドア本体３０のスライド移動方向に延びて貫通され且つ下方に開口された凹溝状に構成された凹溝１２を有する。【選択図】  図３
2006316451.tif 000002
【特許請求の範囲】
【請求項１】
駆動機構に懸架されながらスライド移動されるドア本体と、前記ドア本体の下方であって該ドア本体のスライド移動の範囲に延びて設けられるガイド溝と、前記ドア本体の下部から下方に向かって突出して設けられ且つ前記ガイド溝に遊びを有した状態で嵌め込まれるガイド部とを有した、前記ドア本体の厚さ方向の揺れを防止する振れ止め機構であって、
前記ガイド部に、前記ドア本体のスライド移動方向に延びて貫通された貫通部が設けられていることを特徴とする振れ止め機構。
【請求項２】
前記貫通部が、下方に開口された凹溝状に構成されていることを特徴とする請求項１に記載の振れ止め機構。
【発明の詳細な説明】
【技術分野】
【０００１】
この発明は、ドア本体の厚さ方向への揺れを防止する振れ止め機構に関し、特に、自動ドア装置に設けられる振れ止め機構に関する。
【背景技術】
【０００２】
従来から、ドア本体の上方に、ドア本体を懸架しながらスライド移動させる駆動機構を有してなる自動ドア装置が提供されている。この種の自動ドア装置は、検出器と制御器とを備え、検出器が適宜の検出をした場合に、制御器がドア本体をスライド移動させるように制御するように構成されている。また、この種の自動ドア装置は、一般に、建物の出入口に設置されており、ドア本体をスライド移動させることによって出入口は開閉される。
【０００３】
一方、ドア本体の上方に取り付けられる駆動機構は、建物に固定して取り付けられるものとなっている。この駆動機構は、ドア本体の移動範囲に合わせて設けられたレールと、そのレール上を移動し且つドア本体を懸架する懸架車と、その懸架車を移動させるタイミングベルトと、そのタイミングベルトを移動させる適宜のモータ装置を備えたプーリとを有してなる。そして、この懸架車が移動することによって、懸架されたドア本体もスライド移動されるものとなっている。
【０００４】
また、この種の自動ドア装置にあっては、ドア本体の厚さ方向への揺れを防止することを目的に、振れ止め機構が設けられている。すなわち、ドア本体の下方にドア本体の移動方向に沿って延びたガイド溝が設けられると共に、ドア本体の下部からは下方に向かって突出するガイド部が設けられている。このガイド部は、ガイド溝内を移動可能に、ガイド溝に適宜の遊びを有した状態で嵌め込まれたものとなっている（特許文献１参照）。この種の自動ドア装置にあっては、ガイド部とガイド部を嵌め込むガイド溝とによって、ドア本体の厚さ方向の揺れは規制されたものとなっており、これにより、ドア本体を安定的にスライド移動させることができるものとなっていた。
【特許文献１】特開平８−１４４６２４号公報（特に図１８）
【発明の開示】
【発明が解決しようとする課題】
【０００５】
ところで、この種の自動ドア装置にあっては、屋外に面した箇所に設置される場合がある。屋外に面した箇所に設置された自動ドア装置は、降雨時に、雨水がガイド溝に溜まってしまう事態がしばしば生じる。このようなガイド溝に雨水が溜まってしまった場合、ドア本体のスライド移動に伴って移動するガイド部は、溜まった雨水を押しのけながら移動するものとなる。このガイド部の押しのけによって、雨水は、ガイド溝から外に向かって跳ね上げられ、ドア本体の前に立つ人間の衣服を汚してしまう問題が生じていた。また併せて、この雨水を押しのけるので、ドア本体を、スムーズにスライド移動させることができないといった問題も生じていた。
【０００６】
この発明は、このような事情に鑑みなされたものであって、その目的は、自動ドア装置に設けられる振れ止め機構であって、ドア本体の振れ止めを防止しながら、ガイド溝に雨水等の水が溜まってしまった場合にあっても、この雨水等の水を跳ね上げさせてしまうことなく、ドア本体をスムーズにスライド移動させることができる振れ止め機構を提供することにある。
【課題を解決するための手段】
【０００７】
前記課題を解決するために、この発明は、以下の手段の振れ止め機構を提供する。
すなわち、請求項１に係る発明は、駆動機構に懸架されながらスライド移動されるドア本体と、前記ドア本体の下方であって該ドア本体のスライド移動の範囲に延びて設けられるガイド溝と、前記ドア本体の下部から下方に向かって突出して設けられ且つ前記ガイド溝に遊びを有した状態で嵌め込まれるガイド部とを有した、前記ドア本体の厚さ方向の揺れを防止する振れ止め機構であって、前記ガイド部に、前記ドア本体のスライド移動方向に延びて貫通された貫通部が設けられていることを特徴とする。
【０００８】
請求項１に係る振れ止め機構にあっては、ドア本体の下部から下方に向かって突出して設けられたガイド部に、貫通部が設けられたものとなっている。この貫通部は、中空となる箇所が、ドア本体のスライド移動方向に延びるように、ガイド部を貫通して設けられたものである。また、このガイド部は、ドア本体のスライド移動に伴ってガイド溝内を移動する。
【０００９】
ここで、この振れ止め機構を備えた自動ドア装置が外部環境の影響を受け、ガイド溝内に雨水が溜まってしまう場合がある。このような雨水が溜まってしまった場合であっても、ガイド部がガイド溝内を移動した際に、その溜まった雨水は、その貫通部を貫通するように通り抜けることができる。つまり、ガイド溝内に溜まった雨水は、移動するガイド部に押しのけられないものとなる。従って、ガイド部に押しのけられることによって生じていた、雨水が跳ね上げられる問題が解消される。加えて、このガイド溝内の雨水を押しのけないので、ドア本体のスライド移動に対する抵抗も軽減されることとなる。従って、ガイド溝内に雨水が溜まってしまった場合にあっても、ドア本体をスムーズにスライド移動させることができる。
【００１０】
なお、ガイド溝は、ドア本体の下方であって該ドア本体のスライド移動の範囲に延びて設けられたものであり、ガイド部は、このガイド溝に遊びを有した状態で嵌め込まれている。従って、スライド移動しているドア本体の厚さ方向への揺れは、このガイド部がガイド溝に嵌め込まれることによって規制されたものとなり、駆動機構によってドア本体をスライド移動させた場合にあっても、ドア本体を厚さ方向に揺れ難くさせて安定的にスライド移動させることができる。
【００１１】
請求項２に係る発明は、請求項１に記載の振れ止め機構において、前記貫通部が、下方に開口された凹溝状に構成されていることを特徴とする。
【００１２】
請求項２に係る振れ止め機構にあっては、貫通部が下方に開口された凹溝状に構成されているので、上述したように、ガイド溝に雨水が溜まってしまったとしても、その雨水は、ガイド部の下方を通り抜けることができる。つまり、そのガイド溝に溜まった雨水は、移動するガイド部に押しのけられないものとなる。従って、ガイド部に押しのけられることによって生じていた、雨水が跳ね上げられる問題が解消される。このように下方が開口されて構成されている場合は、ガイド溝内に溜まった雨水が、ガイド部の下方と接する程度の少ない場合に、特に有利に作用することとなる。
【発明の効果】
【００１３】
この発明に係る振れ止め機構によれば、ドア本体の振れ止めを防止しながら、ガイド溝に雨水等の水が溜まってしまった場合にあっても、この雨水等の水を跳ね上げさせてしまうことなく、ドア本体をスムーズにスライド移動させることができる。また、雨水を跳ね上げさせないので、ドア本体の近傍に立つ人の衣服を汚すこともなくなる。
【発明を実施するための最良の形態】
【００１４】
以下、この発明に係る自動ドア装置の最良の実施形態について、図面を参照しながら説明する。
図１は、この発明の振れ止め機構が設けられた自動ドア装置の正面図であって、駆動機構の外蓋が外されている図である。図１に示す符号１は、この発明に係る振れ止め機構を備える自動ドア装置である。この自動ドア装置１は、建物Ｂの出入口に設置されるものであって、スライド移動可能なドア本体３０と、このドア本体３０の上方の建物Ｂの壁部Ｂ１に取り付けられる駆動機構２０と、このドア本体３０の下方であって且つドア本体３０のスライド移動の範囲に延びて設けられるガイド溝４０とから大略構成されている。そして、このドア本体２０がスライド移動することによって、この建物Ｂの出入口は開閉される。なお、ドア本体３０に隣接する（図中の右方）位置には、フィックス板２８が設けられ、符号２９は自動ドア装置１の枠体を示している。
【００１５】
また、駆動機構２０は、図２の駆動機構の拡大正面図にも示すように、この建物Ｂの壁部Ｂ１に固定して取り付けられるベース２１と、このベース２１の下部にドア本体３０のスライド移動の範囲に及んで延びる懸架レール２２と、このベース２１の一端近傍に設けられる駆動プーリ２３と、このベース２１の他端近傍に設けられる従動プーリ２４とを備える。また、駆動プーリ２３と従動プーリ２４とにはタイミングベルトＴが巻回されており、駆動プーリ２３に内蔵される駆動モータの駆動力によって、そのタイミングベルトＴは移動するものとなっている。
【００１６】
さらに、このタイミングベルトＴには、ドア本体３０の上部と連結された懸架車２５が連結されている。この懸架車２５は、前記懸架レール２２上に設けられた適宜の車輪２５ａによって、ドア本体３０を懸架しながら移動可能になっている。つまり、駆動プーリ２３によって移動されたタイミングベルトＴに伴って懸架車２５を移動する。そして、その懸架レール２２上の懸架車２５の移動によってドア本体３０をスライド移動させる。また、図中の符号２６は、車輪２６ａを備えて懸架レール２２上を移動する補助懸架車を示す。この補助懸架車２６は、懸架車２５とは異なり、タイミングベルトＴには連結されていないが、ドア本体３０の上部とは連結されたものとなっており、ドア本体３０を安定的にスライド移動させるものとなっている。
【００１７】
一方、この駆動プーリ２３は、図示されない制御装置に接続されたものとなっている。その制御装置は、適宜に設けられた検出器の検出にしたがって、駆動プーリ２３の駆動を制御する。ここで、ドア本体３０は、懸架車２５及び補助懸架車２６によって懸架されている。これによって、下部が接地されていない、浮いた状態（フロート状態）で、ドア本体３０をスライド移動させるようになっている。なお、この『ドア本体３０のスライド移動方向（以下、単にスライド移動方向）』とは、図中の符号Ｄで示すように、図１において左右方向となっており、開スライド移動方向Ｄ１でドア本体３０が開くように移動し、閉スライド移動方向Ｄ２でドア本体３０が閉まるように移動するものとなっている。
【００１８】
次に、この自動ドア装置１のドア本体３０の下部に構成される振れ止め機構の要部１０について、図３を参照しながら説明する。なお、図３は、図１においての符号Ｐの箇所を拡大して図示するものであって、ドア本体３０の厚さ方向の断面を示す図となっている。なお、この『ドア本体３０の厚さ方向（以下、単に厚さ方向）』とは、図中の符号Ｅで示すように、ドア本体３０自体の厚さの方向であり、図１及び図２において示すスライド移動方向Ｄに対して直交する方向とも一致する。
【００１９】
この振れ止め機構の要部１０は、ドア本体３０の下部から下方に向かって突出して設けられる２つのガイド部１１と、上述したように、このドア本体３０の下方であって且つドア本体３０のスライド移動の範囲に延びて設けられるガイド溝４０とから構成される。この２つのガイド部１１は、適宜の間隔が空けられて設けられるものであって、互いは全く同様に構成される。したがって、この２つのガイド部１１のうち、１つのガイド部１１のみを取り上げて以下に説明する。なお、このガイド部１１は、ドア本体３０のスライド移動に伴ってガイド溝４０内を移動可能になっている。
【００２０】
まず、ガイド溝４０について説明すると、このガイド溝４０は、ドア本体３０の下方であって、該ドア本体３０のスライド移動の範囲に延びて設けられている。このガイド溝４０は、図１及び図３に示すように、フロアＦ面を予め略凹状に刳り抜かれた刳り貫き溝４１に、ステンレスが材とされ適宜に折り曲げられて形成されたカバー体４２が設置されている。また、このカバー体４２の外縁は、厚さ方向Ｅに面が形成されるように折り曲げ部４３が形成されており、このカバー体４２の底面部４４と側壁面４５とによって溝部４６が構成されるものとなっている。
【００２１】
このように構成されたガイド溝４０に嵌め込まれるガイド部１１は、ドア本体３０の下部から下方に突出して設けられている。すなわち、ガイド部１１は、その幅がガイド溝４０の溝部４６の内幅より僅かに小さくされ、下方への突出長さが前記ガイド溝４０の溝部４６の深さより僅かに小さくされ、スライド移動方向の長さが適宜長とされた略直方体形状で構成されたものとなっている。そして、ガイド部１１には、スライド移動方向Ｄに延びて貫通され且つ下方に開口された凹溝１２が設けられている。この凹溝１２は、フロアＦ面の水平レベルまでの深さまで切り欠かれた溝となっている。なお、この凹溝１２は、この発明の貫通部に相当するものである。また、このガイド部１１のうち、前記ガイド溝４０の側壁面４５と対向する箇所が側壁部１３として構成されている。
【００２２】
このようにしてガイド部１１が構成されることによって、このガイド部１１は、ガイド溝４０内に、ガイド溝４０の底面部４４と側壁面４５とから僅かに隙間を有して配置される。つまり、ガイド部１１は、ガイド溝４０に、適度に遊びを有した状態で嵌め込まれる。このようにして、ガイド部１１は、ドア本体３０のスライド移動に伴って、ガイド溝４０内を滑らかに移動することができるものとなっている。さらに、このガイド部１１にあっては、上述したように、ガイド溝４０の側壁面４５に対向した側壁部１３を有しているので、ドア本体３０が厚さ方向Ｅに揺れた場合には、この側壁部１３が、ガイド溝４０の側壁面４５に当接することとなって、その揺れは規制される。
【００２３】
上述の振れ止め機構を備えた自動ドア装置１が屋外と面した箇所に設置され、上述したガイド溝４０内に雨水が溜まってしまった場合に、この振れ止め機構は、次のような作用を奏する。なお、図４（ａ）は図３の振れ止め機構の要部のガイド溝に雨水が溜まっている例を示す図、図４（ｂ）は図４（ａ）の振れ止め機構の要部の正面断面図である。
【００２４】
すなわち、この振れ止め機構にあっては、図４（ａ）及び図４（ｂ）に示すように、ガイド溝４０内に雨水が溜まった場合であっても、ドア本体３０のスライド移動に伴ってガイド部１１がガイド溝４０内を移動した際に、その溜まった雨水Ｗは、凹溝１２を通り抜けることができる。つまり、ガイド溝４０内に溜まった雨水Ｗは、移動するガイド部１１に押しのけられないものとなる。従って、ガイド部１１に押しのけられることによって生じていた、雨水Ｗが跳ね上げられる問題が解消される。加えて、このガイド溝４０内の雨水Ｗを押しのけないので、ドア本体３０のスライド移動に対する抵抗も軽減されることとなる。従って、ガイド溝４０内に雨水Ｗが溜まってしまった場合にあっても、ドア本体３０をスムーズにスライド移動させることができる。
【００２５】
また、前記ガイド部１１に設けられる凹溝１２は、図示されているように、下方が開口された溝状に構成されているので、上述と同様にガイド部１１がガイド溝４０内を移動した際に、その雨水Ｗは、このガイド部１１の下方を通り抜けることができる。つまり、ガイド溝４０内に溜まった雨水Ｗは、移動するガイド部１１に押しのけられないものとなる。従って、ガイド部１１によって押しのけられることによって生じていた、雨水Ｗが跳ね上げられる問題が解消される。このように下方が開口されて構成されている場合は、ガイド溝４０内に溜まった雨水Ｗが、ガイド部１１の下方と接する程度の少ない場合に、特に有利に作用することとなる。
【００２６】
以上をもって、振れ止め機構を上述したように構成した場合には、ドア本体３０の厚さ方向Ｅの揺れを好適に防止しながら、ガイド溝４０内に雨水Ｗが溜まってしまった場合であっても、この雨水を跳ね上げさせてしまうことなく、ドア本体３０をスムーズに移動させることができる。これによって、雨水が跳ね上がることにより、ドア本体の近傍に立つ人の衣服を汚すこともなくなる。
【００２７】
なお、ガイド部に設けられ且つスライド移動方向に延びて貫通された貫通部は、上記実施の形態においては下方に開口された溝状とされる凹溝１２で構成されていた。しかしながら、この発明における貫通部は、下方に開口された溝状に限定されることなく、スライド移動方向Ｄに延びて貫通されて構成されたものであれば、この発明の貫通部に含まれる。例えば、振れ止め機構の要部を、図５に示すように構成された場合も含まれる。
【００２８】
すなわち、図５に示す振れ止め機構の要部１０Ａにあっては、この発明における貫通部が、ドア本体３０のスライド移動方向に貫通された穴状で形成される貫通穴１２Ａで構成された例である。このように、この発明の貫通部が貫通穴１２Ａとして構成された場合には、ガイド部１１Ａを構成することとなる側壁１３Ａが、底壁１４Ａによって支持される利益を有する。なお、この発明における貫通部は、図５に示す貫通穴１２Ａのように１つの穴だけで構成されたものに限定されず、複数の細かい穴で構成されるものであっても、この発明における貫通部の意味から逸脱するものではないものとされる。なお、上述の実施の形態と同一に構成される箇所については同一の符号を付し、その説明を省略するものとする。
【００２９】
また、この発明は上述したような実施の形態に限定されるものではなく、この発明の趣旨を逸脱しない範囲において適宜の選択が可能に構成できる。例えば、ガイド部１１に、ガイド溝４０の内面上を転動する適宜の車輪が設けられるものであってもよいし、また、駆動機構２０の内部構成を適宜に変更しても、この発明の趣旨から逸脱したものとはされない。
【図面の簡単な説明】
【００３０】
【図１】この発明の振れ止め機構が設けられた自動ドア装置の正面図である。
【図２】駆動機構の拡大正面図である。
【図３】振れ止め機構の要部を示す断面図である。
【図４】ガイド溝に雨水が溜まっている振れ止め機構の要部の断面図である。
【図５】振れ止め機構の要部の他の実施の形態を示す断面図である。
【符号の説明】
【００３１】
１    自動ドア装置
１０    振れ止め機構（振れ止め機構の要部）
１１    ガイド部
１２    凹溝
２０    駆動機構
３０    ドア本体
４０    ガイド溝
Ｄ    スライド移動方向
Ｅ    厚さ方向
Ｆ    フロア
【図１】
2006316451.tif 000003
【図２】
2006316451.tif 000004
【図３】
2006316451.tif 000005
【図４】
2006316451.tif 000006
【図５】
2006316451.tif 000007